(57)【要約】【課題】空気の放出口からの異物の侵入を容易に防止することができる空気調和装置を提供する。【解決手段】空気調和装置の本体部１は、円筒状であり、上端面に空気の放出口１１と動作ボタン（操作部）１２とが設けられている。放出口１１及び動作ボタン１２の位置は、上端面の中心から偏倚している。本体部１の上端面には、開口部２１が形成された蓋２が回動自在に冠着されている。蓋２を回動させることによって、放出口１１及び動作ボタン１２が蓋２で覆われた状態と、放出口１１及び動作ボタン１２が開口部２１から露出した状態とを切り替えることができる。空気調和装置が動作していないとき、蓋２を回して放出口１１を閉鎖することによって、放出口１１からの異物の侵入が防止される。【選択図】図１
2013142493.tif 000002
【特許請求の範囲】
【請求項１】
円筒状をなしており、端面に空気の放出口を設けてある空気調和装置において、
開口部を有する蓋を備え、
前記放出口は、前記端面の中心から偏倚した位置に設けられてあり、
前記蓋は、前記端面に回動自在に冠着してあり、回動によって前記放出口の少なくとも一部を開閉できる位置に前記開口部が形成されていること
を特徴とする空気調和装置。
【請求項２】
前記蓋は、前記放出口を覆う部分と前記蓋の中心に対して点対称な位置に前記開口部が形成されていること
を特徴とする請求項１に記載の空気調和装置。
【請求項３】
前記端面に、操作を受け付ける操作部を更に備え、
前記操作部は、前記蓋に覆われた状態と前記開口部から露出した状態とを前記蓋の回動によって切り替えられる位置に配置されていること
を特徴とする請求項１又は２に記載の空気調和装置。
【発明の詳細な説明】
【技術分野】
【０００１】
本発明は、空気を放出する空気調和装置に関する。
【背景技術】
【０００２】
従来、空気中で帯電粒子を発生させて放出することによって空気を清浄化する空気調和装置が用いられている。帯電粒子を発生させる方法としては、空気中で放電を行ってＨ+ （Ｈ2 Ｏ）m 及びＯ2-（Ｈ2 Ｏ）n 等の正及び負の空気イオンを発生させる方法がある。ここで、ｍ及びｎは任意の自然数である。空気中に放出された空気イオンは、空気中の細菌を不活性化させる等、空気を清浄化させる効果を奏する。
【０００３】
特許文献１には、車載用に小型化した空気調和装置が開示されている。特許文献１に開示された空気調和装置は、乗用車内のドリンクホルダに設置できる大きさの円筒形状に形成されている。空気の放出口及び操作ボタンが上端に設けられており、内部で発生した空気イオンを含む空気が放出口から放出される。空気調和装置を小型化するために、通流路は空気調和装置の中心軸から偏倚した位置に設けられてあり、空気調和装置の部品を配置するスペースが確保されている。この空気調和装置は、卓上用としても利用することが可能である。
【先行技術文献】
【特許文献】
【０００４】
【特許文献１】特開２００５−９６４９９号公報
【発明の概要】
【発明が解決しようとする課題】
【０００５】
空気調和装置の動作を停止したときには、空気の放出口から埃等の異物が内部へ侵入する虞がある。異物の侵入を防止する方法としては、放出口に開閉式のルーバを備える方法、又は取り外し可能な蓋を備える方法がある。しかしながら、放出口に開閉式のルーバを備えた場合は、空気調和装置の構造が複雑となり、コストが上昇するという問題がある。また取り外し可能な蓋を備えた場合は、空気調和装置の動作時に蓋を取り外す必要があり、取り外した蓋が邪魔になるという問題があり、また取り外した蓋を紛失する虞があるという問題がある。
【０００６】
本発明は、斯かる事情に鑑みてなされたものであって、その目的とするところは、取り外さずに放出口を開閉できる蓋を設けることにより、コストを上昇させずに容易に異物の侵入を防止することができる空気調和装置を提供することにある。
【課題を解決するための手段】
【０００７】
本発明に係る空気調和装置は、円筒状をなしており、端面に空気の放出口を設けてある空気調和装置において、開口部を有する蓋を備え、前記放出口は、前記端面の中心から偏倚した位置に設けられてあり、前記蓋は、前記端面に回動自在に冠着してあり、回動によって前記放出口の少なくとも一部を開閉できる位置に前記開口部が形成されていることを特徴とする。
【０００８】
本発明においては、端面に空気の放出口を設けてある円筒状の空気調和装置は、開口部を有する蓋を端面に冠着してある。蓋は回動自在であり、蓋を回動することによって、端面の中心から偏倚した位置にある放出口の開閉が可能になっている。
【０００９】
本発明に係る空気調和装置は、前記蓋は、前記放出口を覆う部分と前記蓋の中心に対して点対称な位置に前記開口部が形成されていることを特徴とする。
【００１０】
本発明においては、空気調和装置の端面に冠着した蓋では、空気の放出口を覆う部分に点対称な位置に開口部が形成されている。蓋の開口部が放出口に重なって放出口が開口している状態から、蓋を１８０°回転させることにより、放出口は蓋で閉鎖される。
【００１１】
本発明に係る空気調和装置は、前記端面に、操作を受け付ける操作部を更に備え、前記操作部は、前記蓋に覆われた状態と前記開口部から露出した状態とを前記蓋の回動によって切り替えられる位置に配置されていることを特徴とする。
【００１２】
本発明においては、空気調和装置は、端面に操作部を備えており、操作部は、蓋の回動によって、開口部から露出した状態と蓋に遮蔽された状態とを切り替えられる。
【発明の効果】
【００１３】
本発明にあっては、コストを上昇させずに、空気調和装置の動作を停止したときの異物の侵入を防止することができる。また、蓋を取り外す必要が無いので、取り外した蓋が邪魔になることも無く、取り外した蓋を紛失することも無い等、本発明は優れた効果を奏する。
【図面の簡単な説明】
【００１４】
【図１】空気調和装置の外観の例を示す斜視図である。
【図２】空気調和装置の正面図である。
【図３】本体部から蓋を外した状態を示す分解斜視図である。
【図４】空気調和装置の平面図である。
【図５】放出口及び動作ボタンが蓋で覆われた状態を示す空気調和装置の平面図である。
【発明を実施するための形態】
【００１５】
以下本発明をその実施の形態を示す図面に基づき具体的に説明する。
図１は、空気調和装置の外観の例を示す斜視図であり、図２は、空気調和装置の正面図である。空気調和装置は、全体的に円筒状に形成された本体部１と、本体部１の上端面に冠着された蓋２からなる。図３は、本体部１から蓋２を外した状態を示す分解斜視図である。空気調和装置は、乗用車内のドリンクホルダに設置できる大きさに形成されており、乗用車内又は卓上に設置される。本体部１の上端面には、空気を放出する放出口１１が形成されており、更に、動作ボタン（操作部）１２が設けられている。動作ボタン１２は、使用者の押下操作を受け付け、操作に応じて空気調和装置の動作のオンとオフとを切り替えるための押下ボタンである。本体部１の内部には、空気イオン等の帯電粒子を発生させる帯電粒子発生部が備えられている。空気調和装置は、帯電粒子発生部が発生させた帯電粒子を含む空気を放出口１１から放出することによって、外部の空気を清浄化する。
【００１６】
本体部１の上端面に冠着した蓋２は、本体部１の側面に対して摺動して、本体部１の中心軸周りに回動自在になっている。蓋２は、樹脂等の弾力性を有する材料で構成されていることが望ましい。使用者が蓋２を手で持って中心軸周りに回すことで、蓋２が回動する。また、蓋２には開口部２１が形成されている。放出口１１は、本体部１の上端面の中心から偏倚した位置に設けられている。また動作ボタン１２も、本体部１の上端面の中心から外れており、中心から放出口１１側へ近づいた位置に配置されている。
【００１７】
図４は、空気調和装置の平面図である。図４には、開口部２１が放出口１１及び動作ボタン１２の位置に重なっている状態を示している。開口部２１は、放出口１１の少なくとも一部及び動作ボタン１２が露出することのできる大きさに形成されている。放出口１１及び動作ボタン１２が開口部２１から露出した状態では、使用者が動作ボタン１２を操作し、空気調和装置は、開口した放出口１１から空気を放出することができる。
【００１８】
また、蓋２の開口部２１が形成されていない部分は、放出口１１及び動作ボタン１２を完全に覆うことができる大きさになっている。図５は、放出口１１及び動作ボタン１２が蓋２で覆われた状態を示す空気調和装置の平面図である。蓋２の開口部２１が形成されていない部分によって、放出口１１及び動作ボタン１２が完全に覆われている。放出口１１が蓋２で覆われた状態では、放出口１１が閉鎖され、放出口１１から埃等の異物が空気調和装置の内部へ侵入することは無い。また、動作ボタン１２が蓋２で覆われた状態では、放出口１１が閉鎖されているにも関わらず空気調和装置を動作させる等の誤操作の虞が無く、また、落下物が動作ボタン１２に接触する等の原因による誤動作の虞も無い。
【００１９】
蓋２の開口部２１は、放出口１１及び動作ボタン１２を覆う部分と中心に対して点対称な位置にある部分に、放出口１１の少なくとも一部及び動作ボタン１２が露出することのできる大きさで形成されている。このため、放出口１１及び動作ボタン１２が蓋２で覆われた状態から、蓋２を１８０°回動させた場合は、開口部２１が放出口１１及び動作ボタン１２に重なり、放出口１１及び動作ボタン１２が露出される。また、放出口１１及び動作ボタン１２が開口部２１から露出している状態から、蓋２を１８０°回動させた場合は、蓋２の開口部２１が形成されていない部分が放出口１１及び動作ボタン１２に重なり、放出口１１及び動作ボタン１２は蓋２で覆われる。
【００２０】
以上のように、本発明の空気調和装置は、蓋２の回動によって放出口１１の開閉が可能である。使用者は、空気調和装置の動作を停止した場合には、蓋２を回転させて放出口１１を閉鎖し、放出口１１から異物が侵入することを防止することができる。蓋２を上端面に冠着した空気調和装置は、開閉式のルーバを備えた空気調和装置に比べて、構造が単純であり、コストを上昇させずに容易に異物の侵入を防止することが可能となる。また、蓋２を回動させることによって放出口１１の開閉を行うので、空気調和装置の動作時に蓋２を取り外す必要が無い。従って、取り外した蓋が邪魔になることも無く、取り外した蓋を紛失することも無い。
【００２１】
なお、本実施の形態に示した放出口１１の形状及び位置並びに開口部２１の形状及び位置は一例である。放出口１１が本体部１の上端面の中心から偏倚した位置にあり、放出口１１と開口部２１との関係が蓋２の回動によって放出口１１の開閉が可能な関係であれば、放出口１１の形状及び位置並びに開口部２１の形状及び位置は、本実施の形態から変更することが可能である。また、動作ボタン１２の位置も、蓋２の回動によって蓋２に覆われた状態と開口部２１から露出した状態とを切り替えられる位置であれば、その他の位置であってもよい。また、本実施の形態においては、一つの開口部２１によって放出口１１及び動作ボタン１２を露出させる形態を示したが、空気調和装置は、蓋２に複数の開口部を形成しておき、放出口１１と動作ボタン１２とを別の開口部で露出させる形態であってもよい。また、本発明における操作部は、動作ボタン１２に限らず、スライドスイッチ等のその他の形態であってもよい。また、放出口１１及び操作部は、複数設けられてあってもよい。
【符号の説明】
【００２２】
１  本体部
１１  放出口
１２  動作ボタン（操作部）
２  蓋
２１  開口部
【図１】
2013142493.tif 000003
【図２】
2013142493.tif 000004
【図３】
2013142493.tif 000005
【図４】
2013142493.tif 000006
【図５】
2013142493.tif 000007